(57)【特許請求の範囲】
【請求項１】
電力供給を受けることで第１信号による通信が可能な第１通信手段と、電力供給を受けることで第２信号による通信が可能な第２通信手段とを備え、他の通信装置との間で第１信号及び第２信号のいずれか一方による通信が可能とされる通信装置であって、
第１通信手段に電力供給し、その上で第１通信手段に前記他の通信装置に対して第１信号を送信させる通信制御手段と、
該通信制御手段によって第１通信手段から送信された第１信号に対する該他の通信装置の応答であって、第１信号により通信可能な場合と第２信号により通信可能な場合とで相違する応答に基づき、該他の通信装置との間で第１信号及び第２信号のいずれによる通信が可能かを判定する判定手段とを備え、
該通信制御手段は該判定手段により該他の通信装置との間で通信可能と判定された信号に対応する第１通信手段又は第２通信手段にのみ電力供給することを特徴とする通信装置。
【請求項２】
前記判定手段は前記他の通信装置からの応答として第１信号により通信可能な場合のみ第１通信手段に返信される第１信号の有無に基づき、該他の通信装置との間で第１信号及び第２信号のいずれによる通信が可能かを判定することを特徴とする請求項１記載の通信装置。
【請求項３】
第１通信手段は第１信号としてのパルス信号の送信及び受信が可能であり、
第２通信手段は第２信号としてのレベル信号の送信のみが可能であることを特徴とする請求項１又は２記載の通信装置。
【請求項４】
主装置の作動に基づいて作動する副装置に設けられ、該主装置に設けられた前記他の通信装置との通信に基づき、該主装置の作動を制御することで、該副装置の作動を制御することを特徴とする請求項１、２又は３記載の通信装置。
【請求項５】
前記副装置に該副装置の作動のＯＮ／ＯＦＦを切り替える運転スイッチが設けられ、
前記通信制御手段は該副装置が通電状態となってから第１通信手段にのみ電力を供給して前記他の通信装置に対して第１信号を送信させるとともに、前記判定手段による前記判定前に該副装置の運転スイッチがＯＦＦからＯＮに切り替えられたとき、第１通信手段及び第２通信手段の双方に電力供給し、第１信号及び第２信号による通信を可能とすることを特徴とする請求項４記載の通信装置。
【請求項６】
前記主装置は温水供給装置であり、前記副装置は該温水供給装置から供給される温水を熱源として暖房運転を行う暖房装置であることを特徴とする請求項４又は５記載の通信装置。
【発明の詳細な説明】
【０００１】
【発明の属する技術分野】
本発明は、電力供給を受けることで第１信号による通信が可能な第１通信手段と、電力供給を受けることで第２信号による通信が可能な第２通信手段とを備え、他の通信装置との間で第１信号及び第２信号のいずれか一方による通信が可能とされる通信装置に関する。
【０００２】
【従来の技術】
住居等において、温水供給装置から供給される温水を熱源として温風暖房運転を行う温風暖房装置が利用されている。温風暖房運転中、両装置間の通信に基づいて温水供給装置から温風暖房装置への温水供給量や温水温度等、ひいては暖房温度が制御される。
【０００３】
両装置間の通信として、パルス信号による双方向通信と、レベル信号による温風暖房装置から温水供給装置への単方向通信との２つの態様がある。しかし、温風暖房装置が有する通信機能に対応する信号と、温水供給装置が有する通信機能に対応する信号の種類が相違する場合、両装置間の通信を実現できない。
【０００４】
そこで、パルス信号及びレベル信号の双方による通信機能を有する温風暖房装置を用いることが考えられる。この場合、温風暖房装置は温水供給装置に対してパルス信号及びレベル信号の双方を送信する。このため、温風暖房装置は温水供給装置がパルス信号及びレベル信号のいずれによる通信機能を有するかに関わらず、当該温水供給装置との通信が可能となる。即ち、温水供給装置がパルス信号による通信機能のみを有する場合には、両装置がパルス信号により通信が可能となり、パルス信号に基づいて温水供給運転及び温風暖房運転が制御される。また、温水供給装置がレベル信号による通信機能のみを有する場合には、両装置がレベル信号により通信が可能となり、レベル信号に基づいて温水供給運転及び温風暖房運転が制御される。
【０００５】
【発明が解決しようとする課題】
しかし、温風暖房装置は温水供給装置に対してパルス信号及びレベル信号の双方を送信するため、両装置間でレベル信号により通信が行われる場合には、温風暖房装置においてパルス信号を送信するために消費される電力は無駄になる。同様に、両装置間でパルス信号により通信が行われる場合には、温風暖房装置においてレベル信号を送信するために消費される電力は無駄になる。
【０００６】
そこで、本発明は通信時におけるかかる無駄な電力消費を回避可能な通信装置を提供することを解決課題とする。
【０００７】
【課題を解決するための手段】
前記課題を解決するための本発明の通信装置は、第１通信手段に電力供給し、その上で第１通信手段に前記他の通信装置に対して第１信号を送信させる通信制御手段と、該通信制御手段によって第１通信手段から送信された第１信号に対する該他の通信装置の応答であって、第１信号により通信可能な場合と第２信号により通信可能な場合とで相違する応答に基づき、該他の通信装置との間で第１信号及び第２信号のいずれによる通信が可能かを判定する判定手段とを備え、該通信制御手段は該判定手段により該他の通信装置との間で通信可能と判定された信号に対応する第１通信手段又は第２通信手段にのみ電力供給することを特徴とする。
【０００８】
また、本発明は、前記通信装置において、前記判定手段は前記他の通信装置からの応答として第１信号により通信可能な場合のみ第１通信手段に返信される第１信号の有無に基づき、該他の通信装置との間で第１信号及び第２信号のいずれによる通信が可能かを判定することを特徴とする。
【０００９】
さらに、本発明は、前記通信装置において、第１通信手段は第１信号としてのパルス信号の送信及び受信が可能であり、第２通信手段は第２信号としてのレベル信号の送信のみが可能であることを特徴とする。
【００１０】
本発明によれば、第１信号を受けた他の通信装置の応答に基づき、当該他の通信装置との間で第１信号及び第２信号のいずれによる通信が可能かが判定される。また、当該応答が第１信号の返信の有無により区分されている場合、第１信号の返信があった場合は他の通信装置との間で第１信号による通信が可能で、第１信号の返信がなかった場合は当該他の通信装置との間で第２信号による通信が可能と判定される。
【００１１】
そして、この判定結果に基づき、第１通信手段及び第２通信手段のいずれか一方にのみ電力が供給される。従って、当該他の通信装置との通信に利用されない信号に対応する他方の通信手段において無駄な電力が消費される事態を回避することができる。また、第１信号がパルス信号であり、第２信号がレベル信号の場合、パルス信号及びレベル信号のうち他の通信装置との通信に利用されない一方の信号に対応する通信手段における無駄な電力消費を回避することができる。
【００１２】
また、本発明は、主装置の作動に基づいて作動する副装置に設けられ、該主装置に設けられた前記他の通信装置との通信に基づき、該主装置の作動を制御することで、該副装置の作動を制御することを特徴とする。
【００１３】
本発明によれば、副装置に設けられた通信装置の第１通信手段又は第２通信手段であって、主装置が有する他の通信装置との通信に利用されない信号に対応する通信手段における無駄な電力消費を防止することができる。
【００１４】
さらに、本発明は、前記通信装置において、前記副装置に該副装置の作動のＯＮ／ＯＦＦを切り替える運転スイッチが設けられ、前記通信制御手段は該副装置が通電状態となってから第１通信手段にのみ電力を供給して前記他の通信装置に対して第１信号を送信させるとともに、前記判定手段による前記判定前に該副装置の運転スイッチがＯＦＦからＯＮに切り替えられたとき、第１通信手段及び第２通信手段の双方に電力供給し、第１信号及び第２信号による通信を可能とすることを特徴とする。
【００１５】
本発明によれば、原則として第１、第２信号のいずれにより通信が可能であるかの判定があるまでは第１通信手段にのみ電力が供給され、第２通信手段には電力が供給されないのでその分電力消費を節約することができる。
【００１６】
また、当該判定前に運転スイッチがＯＦＦからＯＮに切り替えられたとき、第１及び第２通信手段のいずれにも電力が供給され、第１信号及び第２信号による通信可能とされる。このため、当該通信により副装置及び主装置を作動させることを、電力節約よりも優先させることができる。
【００１７】
本発明は、前記通信装置において、前記主装置は温水供給装置であり、前記副装置は該温水供給装置から供給される温水を熱源として暖房運転を行う暖房装置であることを特徴とする。
【００１８】
本発明によれば、かかる暖房装置に設けられた通信装置であって、温水供給装置に設けられた他の通信装置との通信が可能な通信装置が有する第１、第２通信手段の一方における無駄な電力消費を防止することができる。
【００１９】
【発明の実施の形態】
本発明の通信装置の実施形態について図面を用いて説明する。図１は本実施形態の通信装置が適用される暖房システムの構成説明図であり、図２は本実施形態の通信装置の機能説明図であり、図３は他の実施形態の通信装置の機能説明図である。
【００２０】
図１に示す暖房システムは、温水供給装置（主装置）１と、温水供給装置１から温水回路３を通じて供給される温水を熱源として温風暖房運転を行う温風暖房装置（副装置）２とを備えている。
【００２１】
温水供給装置１は、温水供給コントローラ１０と、温水回路３の水を温水熱交換器１１を介して加熱するバーナ１２と、バーナ１２に燃焼用空気を供給する燃焼ファン１３と、バーナ１２にガスを供給するガス供給路１４と、ガス供給路１４を通じバーナ１２に供給されたガスに点火する点火電極１５とを備えている。ガス供給路１４には、バーナ１２に対してガス供給路１４を開放・遮断する元ガス電磁弁１４１及びガス電磁弁１４２と、ガス供給路１４の開度を調節するガス比例弁１４３とが設けられている。
【００２２】
また、温水供給装置１は、温水回路３の水を循環させる循環ポンプ１６と、循環ポンプ１６の下流で且つ温水熱交換器１１の上流で温水回路３の水温を測定するための第１温水サーミスタ１７と、温水熱交換器１１の下流で温水回路３の水温を測定するための第２温水サーミスタ１８とを備えている。
【００２３】
温水供給コントローラ１０は、通信線４を介して後述の本発明の通信装置２００との間でパルス信号（第１信号）、レベル信号（第２信号）のいずれか一方により通信可能に接続された主通信装置（他の通信装置）１００を備えている。温水供給コントローラ１０は、主通信装置１００による通信や、第１温水サーミスタ１７、第２温水サーミスタ１８による測定水温等に基づいてバーナ１２の燃焼等を制御する。
【００２４】
温水回路３には、循環ポンプ１６の上流で温水回路３の温水の膨張及び収縮を吸収するシスターン３ａと、温水熱交換器１１の下流で温水回路３から分岐し、シスターン３ａの上流で温水回路３に合流するバイパス路３ｂとが設けられている。
【００２５】
温風暖房装置２は、温風暖房コントローラ２０と、操作パネル２１と、外部空気を取り込んでこれを温風熱交換器２２を介して温水回路３の温水により加熱させ、温風として吹き出す温風ファン２３と、温水回路３の流水量を調節する流量調節弁２４と、コンセント（図示略）に接続されて外部から電力を取り出す電源プラグ２５とを備えている。
【００２６】
操作パネル２１は、温風暖房装置２の温風暖房運転のＯＮ／ＯＦＦを切り替える運転スイッチ２１ｂと、暖房温度を設定する温度設定ボタン２１ｃとを備えている。
【００２７】
温風暖房コントローラ２０は本発明の「通信装置」２００を備えている。通信装置２００は第１通信手段２１０と、第２通信手段２２０と、通信制御手段２３０と、判定手段２４０と、記憶手段２５０と、タイマ２６０とを備えている。
【００２８】
第１通信手段２１０はマイコンやフォトカプラ等により構成されている双方向通信回路を有する（詳細は特開２００１−１１１６３５号公報等を参照）。マイコンの出力ポートからの断続的な出力によりフォトカプラが断続的にＯＮ／ＯＦＦされ、電流が断続的に出力されることで、第１通信手段２１０はパルス信号（第１信号）を送信する。また、電流の断続的な入力に応じてフォトカプラが断続的にＯＮ／ＯＦＦされ、マイコンの入力ポートへの断続的な入力が認識されることで、第１通信手段２１０はパルス信号（同上）を受信する。
【００２９】
第２通信手段２２０は、マイコンやトランジスタ、ツェナーダイオード等により構成されている単方向通信回路を有する（詳細は前記公報を参照）。マイコンの２つの出力ポートからの出力に応じた２つのトランジスタのＯＮ／ＯＦＦの組み合わせにより３通りの電圧が出力されることで、第２通信手段２２０はレベル信号（第２信号）を送信する。
【００３０】
通信制御手段２３０は第１通信手段２１０、第２通信手段２２０への電力供給及び通信を制御する。判定手段２４０は温水供給装置１に設けられた他の通信装置１００との間でパルス信号（第１信号）、レベル信号（第２信号）のいずれによる通信が可能であるかを判定する。記憶手段２５０はＲＡＭ、ＲＯＭ等により構成され判定手段２４０による判定結果等を記憶保持する。タイマ２６０は温風暖房装置２が通電状態とされてからの経過時間等を測定する。
【００３１】
上記構成の通信装置２００の機能について図２を用いて説明する。
【００３２】
まず、電源プラグ２５がコンセントに差し込まれて温風暖房装置２が通電状態になったとき（ｓ１）、通信制御手段２３０は第１通信手段２１０にのみ電力を供給し、他の通信装置１００に対してパルス信号を送信させる（ｓ２）。なお、電源プラグ２５がコンセントに差し込まれた状態で図示しない電源スイッチのＯＮ／ＯＦＦに応じ、温風暖房装置２の通電状態が開始・解除されてもよい。
【００３３】
次に判定手段２４０が他の通信装置１００から第１通信手段２１０へのパルス信号の返信の有無を判定する（ｓ３）。当該返信があった場合（ｓ３でＹＥＳ）、判定手段２４０は他の通信装置１００との間でパルス信号（第１信号）により通信可能であると判定する（ｓ５ａ）。このとき、記憶手段２５０はこの判定結果を記憶保持する。
【００３４】
当該返信がない場合（ｓ３でＮＯ）、判定手段２４０はタイマ２６０による計時に基づいて電源スイッチ２１ａがＯＮにされてから所定時間（例えば９０秒）が経過したか否かを判定する（ｓ４）。
【００３５】
パルス信号の返信がないまま所定時間が経過した場合（ｓ４でＹＥＳ）、判定手段２４０は他の通信装置１００との間でパルス信号による通信が不可能で、その一方レベル信号による通信が可能であると判定する（ｓ５ｂ）。このとき、記憶手段２５０はこの判定結果を記憶保持する。
【００３６】
パルス信号の返信がなく（ｓ３でＮＯ）且つ所定時間経過前（ｓ４でＮＯ）では、判定手段２４０は他の通信装置１００との間でいずれの信号により通信可能かという判定を留保する。このとき、記憶手段２５０は判定手段２４０による判定結果を記憶保持していない。
【００３７】
そして、運転スイッチ２１ｂがＯＦＦに維持されている間（ｓ６でＮＯ）、上記ｓ２〜ｓ５の処理が継続して実施される。
【００３８】
また、運転スイッチ２１ｂがＯＮとされ（ｓ６でＹＥＳ）、いずれの信号による通信が可能であるかが未判定であるとき（ｓ７でＹＥＳ）、通信制御手段２３０により１通信手段２１０及び第２通信手段２２０の双方に電力が供給され、パルス信号及びレベル信号の双方による通信が可能な状態とされる（ｓ９ａ）。そして、電源プラグ２５がコンセントから抜かれて温風暖房装置２の通電状態が解除されない限り（ｓ１０ａでＮＯ）、遅くとも所定時間が経過するまでに判定手段２４０によっていずれの信号による通信が可能であるかが判定される（ｓ５ａ、ｓ５ｂ）。
【００３９】
一方、運転スイッチ２１ｂがＯＮとされ（ｓ６でＹＥＳ）、パルス信号による通信が可能であると判定済みであるとき（ｓ７でＮＯ且つｓ８でＹＥＳ）、通信制御手段２３０により第１通信手段２１０にのみ電力が供給され、パルス信号のみによる通信が可能な状態とされる（ｓ９ｂ）。そして、温風暖房装置２の通電状態が解除されない限り（ｓ１０ｂでＮＯ）、この状態が維持される。
【００４０】
また、運転スイッチ２１ｂがＯＮとされ（ｓ６でＹＥＳ）、レベル信号による通信が可能であると判定済みであるとき（ｓ７及びｓ８でＮＯ）、通信制御手段２３０により第２通信手段２２０にのみ電力が供給され、レベル信号のみによる通信が可能な状態とされる（ｓ９ｃ）。そして、温風暖房装置２の通電状態が解除されない限り（ｓ１０ｂでＮＯ）、この状態が維持される。
【００４１】
運転スイッチ２１ｂがＯＮとされたとき（ｓ６でＹＥＳ）、通信装置２００は通信が可能な状態とされた第１通信手段２１０又は第２通信手段２２０を介して主通信装置１００との間でパルス信号を送信・受信し、又はレベル信号を送信する。この通信に基づき、温水供給コントローラ１０は循環ポンプ１６を作動させるとともに、循環水温を８０℃等の所定温度に維持する制御を行う。循環水温の制御に際し、まず、水温センサ（図示略）により循環水温が測定され、この測定水温が６０℃等、所定の下限温度未満のとき、燃焼ファン１３を作動させ、点火電極１５による点火制御を行い、元ガス電磁弁１４ａ、ガス電磁弁１４ｂを開いてガスをバーナ１２に供給してバーナ１２を燃焼させる。そして、水温センサにより測定される循環水温が所定温度に維持されるように、ガス比例弁１４ｃによりガス供給路１４の開度を調節し、燃焼ファン１３による燃焼用空気量を調節することでバーナ１２の燃焼量を調節する。これにより温水供給装置１から温風暖房装置２に対して温水回路３を通じて当該所定温度の温水が供給される。なお、水温センサによる測定温度が所定の下限温度以上であるときは、燃焼ファン１３は作動されず、バーナ１２も燃焼しない。
【００４２】
また、温風暖房コントローラ２０は温度設定ボタン２１ｃによる設定暖房温度等に基づき、温風ファン２３によって風量を調節し、流量調節弁２４により温水回路３の流量を調節する。これにより温風暖房運転が行われる。
【００４３】
また、判定手段２４０による判定の有無を問わず、温風暖房装置２の通電状態が解除された場合（ｓ１０ａ、１０ｂでＹＥＳ）、通信制御手段２３０は第１通信手段２１０及び第２通信手段２２０への電力供給を停止する（ｓ１１）。
【００４４】
本通信装置２００によれば、主通信装置１００から第１通信手段２１０に対するパルス信号（第１信号）の返信の有無に応じ、主通信装置１００との間でパルス信号（第１信号）、レベル信号（第２信号）のいずれにより通信可能かが判定される（図２ｓ５ａ、５ｂ）。そして、この判定結果に基づいて第１通信手段２１０、第２通信手段２２０のいずれか一方にのみ電力が供給されるので（図２ｓ９ｂ、９ｃ）、他方における無駄な電力消費を防止することができる。
【００４５】
また、原則としてパルス信号（第１信号）、レベル信号（第２信号）のいずれにより通信が可能であるかの判定があるまでは第１通信手段２１０にのみ電力が供給され、第２通信手段２２０には電力が供給されない（図２ｓ２）。従って、その分だけ当該判定中の第２通信手段２２０における電力消費を節約することができる。
【００４６】
さらに、パルス信号（第１信号）、レベル信号（第２信号）のいずれかにより通信が可能であるかが未判定である場合に運転スイッチ２１ｂがＯＦＦからＯＮに切り替えられたとき（図２ｓ６でＹＥＳ）、第１通信手段２１０及び第２通信手段２２０の双方に電力が供給され、パルス信号（第１信号）及びレベル信号（第２信号）による通信が可能とされる（図２ｓ９ａ）。このため、当該通信により温風暖房装置（副装置）２及び温水供給装置（主装置）の作動運転を電力節約より優先することができる。
【００４７】
なお、本実施形態では温水供給装置１から供給される温水を熱源とする副装置として温風暖房装置２のみが存在し、主通信装置１００に通信装置２００が１つのみ接続されていたが、他の実施形態として温風暖房装置２に加えて通信装置を各自有する床暖房装置等の複数の副装置が存在し、主通信装置１００に複数の通信装置２００が接続されてもよい。
【００４８】
また、図１に示す暖房システムにおいて図２に示した本実施形態の判定処理の外に、他の実施形態として図３に示す判定処理が実施されてもよい。当該他の実施形態の判定処理によっても上述と同様に第１通信手段２１０、第２通信手段２２０のいずれか一方にのみ電力が供給され、他方における無駄な電力消費を防止することができる等の効果が得られる。
【００４９】
図３に示す判定処理によれば、まず、電源プラグ２５がコンセントに差し込まれて温風暖房装置が通電状態になったとき（ｓ２１）、通信制御手段２３０は第１通信手段２１０にのみ電力を供給し、他の通信装置１００に対してパルス信号を送信させる（ｓ２２）。
【００５０】
次に判定手段２４０が他の通信装置１００から第１通信手段２１０へのパルス信号の返信の有無を判定する（ｓ２３）。当該返信があった場合（ｓ２３でＹＥＳ）、判定手段２４０は他の通信装置１００との間でパルス信号（第１信号）により通信可能であると判定する（ｓ２６ａ）。このとき、記憶手段２５０はこの判定結果を記憶保持する。また、この判定結果に基づき、通信制御手段２３０により第１通信手段２１０にのみ電力が供給され、パルス信号のみによる通信が可能な状態とされる（ｓ２７ａ）。そして、温風暖房装置２の通電状態が解除されない限り（ｓ２８ａでＮＯ）この状態が維持される。
【００５１】
当該返信がない場合（ｓ２３でＮＯ）、判定手段２４０はタイマ２６０による計時に基づいて電源スイッチ２１ａがＯＮにされてから所定時間（例えば９０秒）が経過したか否かを判定する（ｓ２４）。
【００５２】
パルス信号の返信がないまま所定時間が経過した場合（ｓ２４でＹＥＳ）、判定手段２４０は他の通信装置１００との間でパルス信号による通信が不可能で、その一方レベル信号による通信が可能であると判定する（ｓ２６ｂ）。このとき、記憶手段２５０はこの判定結果を記憶保持する。また、この判定結果に基づき、通信制御手段２３０により第２通信手段２２０にのみ電力が供給され、レベル信号のみによる通信が可能な状態とされる（ｓ２７ｂ）。そして、温風暖房装置２の通電状態が解除されない限り（ｓ２８ｂでＮＯ）この状態が維持される。
【００５３】
パルス信号の返信がなく（ｓ２３でＮＯ）、且つ、所定時間経過前（ｓ２４でＮＯ）であって、運転スイッチ２１ｂがＯＦＦに維持されている場合（ｓ２５でＮＯ）、判定手段２４０は他の通信装置１００との間でいずれの信号により通信可能かという判定を留保する。このとき、記憶手段２５０は判定手段２４０による判定結果を記憶保持していない。この状態で運転スイッチ２１ｂがＯＮとされた場合（ｓ２５でＹＥＳ）、通信制御手段２３０により１通信手段２１０及び第２通信手段２２０の双方に電力が供給され、パルス信号及びレベル信号の双方による通信が可能な状態とされる（ｓ２７ｃ）。そして、温風暖房装置２の通電状態が解除されない限り（ｓ２８ｃでＮＯ）、遅くとも所定時間が経過するときまでに判定手段２４０によっていずれの信号による通信が可能であるかが判定される（ｓ２６ａ、２６ｂ）。
【００５４】
判定手段２４０による判定（ｓ２６ａ、２６ｂ）の後、運転スイッチ２１ｂがＯＮとされた場合、通信装置２００は主通信装置１００との間でパルス信号を送信・受信し、又はレベル信号を送信する。この通信に基づき、温水供給コントローラ１０は循環ポンプ１６を作動させるとともに、上述と同様に循環水温を８０℃等の所定温度に維持する制御を行う。
【００５５】
また、温風暖房コントローラ２０は温度設定ボタン２１ｃによる設定暖房温度等に基づき、温風ファン２３によって風量を調節し、流量調節弁２４により温水回路３の流量を調節する。これにより温風暖房運転が行われる。
【００５６】
また、温風暖房装置２の通電状態が解除された場合（ｓ２８ａ、２８ｂ、２８ｃでＹＥＳ）、通信制御手段２３０は第１通信手段２１０及び第２通信手段２２０への電力供給を停止する（ｓ２９）。
【図面の簡単な説明】
【図１】本実施形態の通信装置が適用される暖房システムの構成説明図
【図２】本実施形態の通信装置の機能説明図
【図３】他の実施形態の通信装置の機能説明図
【符号の説明】
１‥温水供給装置（主装置）、２‥温風暖房装置（副装置）、２１ａ‥電源スイッチ、２１ｂ‥運転スイッチ、１００‥主通信装置（他の通信装置）、２００‥通信装置（本発明）、２１０‥第１通信手段、２２０‥第２通信手段、２３０‥通信制御手段、２４０‥判定手段
【図１】
0003720287.tif 000002
【図２】
0003720287.tif 000003
【図３】
0003720287.tif 000004